(57)【要約】      （修正有）【課題】セーフティ・オークションシステムは、出品側の登録情報をほぼ完全に確認し、かつ登録情報は、ネットサーバー上に登録する必要がなく、出店情報が明確であり匿名の出店が可能になります。カウントダウンオークションシステムにより従来のオークションにあった多大な時間経過を必要とせず、即決購入可能なオークション市場が実現します。その出品商品の管理システムは、３桁程度の属性品番管理により、複数のＯＥＭ代理店の登録情報とリンクし管理できます。【解決手段】セーフティ・オークションシステムは、組織上、システムＯＥＭ代理店による出店ユーザー管理をいたします。また、商品支払いは先払いとし、市場が一旦預かり金とします。入金確認後に、出品者は当該商品を購入ユーザーへ発送します。無事に、購入ユーザーが確認受領した段階で、一時預かり金から手数料を差し引いた商品代金が、ＯＥＭ代理店を通して出品ユーザーへ支払いされます。【選択図】      図１
2007141111.tif 000002
【特許請求の範囲】
【請求項１】
インターネットショッピングおよびオークション出店における出品企業および出品個人の登録情報は、全ての登録情報をシステムＯＥＭ代理店の当該セーフティ・オークションシステムに接続しない単独のデータベースに確認管理しその認識後システムＯＥＭ代理店は出店希望業者に登録ＩＤとパスワードを発行することで、当該セーフティ・オークションシステムのインターネットショッピングおよびオークションの店舗と出品を実行するシステムであり、インターネットサーバー上に個人情報を必要しないでＯＥＭ代理店発行の登録ＩＤとパスワードによる店舗と出品は、その素性特定が可能になる運営管理システム。
【請求項２】
システムＯＥＭ代理店を数百単位の複数存在に対応し、その登録商品に関して、属性品番管理を採用、その内容にＯＥＭ代理店情報・店舗情報・商品情報・購入情報・グローバルトレードアイテムナンバー・予備品番を統合し、それぞれ単独フラグ管理可能な運用で商品管理データベース対応を総予定桁数３桁以内の規模想定することで、インターネットのショッピングとオークションを含めインターネット商取引全ての商品情報を同時に検索可能になり商取引できるシステム。
【請求項３】
当該セーフティオークションのカウントダウンオークションシステムは、出品情報セルは規定情報と任意情報を設定する。規定情報には商品販売・購入に必要な各種情報、任意情報は商品理解に必要な説明を記載。この規定情報に出品者任意の上限販売価格の任意上代と最低販売価格の任意下代を設定、その差額を任意時間経過により段階的値下げまたは値上げの価格を自動表示させ、各落札希望者の任意購入価格指値を含め、即決落札・購入および指値入札・予約予定までの仕様と各購入・落札者の処理確定までをプログラム化する。このプログラムは各落札希望者にダウンロードさせ、各落札希望者それぞれにオンデマンドタイプのカウントダウンオークションとして提供、各落札希望者の処理確定後に当該セーフティオークションのデータベースに接続し時間優先処理し表示するシステム。
【発明の詳細な説明】
【技術分野】
【０００１】
当該セーフティ・オークションシステムは、企業出店を当該地域のシステムＯＥＭ代理店により直接面談し企業情報登録をＯＥＭ代理店単独のデータベースにて管理することで、インターネットショッピングおよびオークションの企業出店および企業出品情報が正確にトレースできることを目指します。また個人出店は既存個人情報を持つクレジットカード会社および携帯通信業者へのシステムＯＥＭ代理店提供することで当該クレジットカードホルダーへ個人出店を可能にします。当該システムのポイントは３つあり、出店入り口が情報管理会社になり、その出店・出品の素性を明確に出来るという部分が１つ。これは既に顧客情報を保有している各システムＯＥＭ代理店の存在により、インターネット上で特定識別可能でありながら出店個別情報は記号化できることになり、当該システムのインターネット上に出店個別情報が存在しないシステムが可能になります。
２つめに、システムＯＥＭ代理店の総数は２００以上を想定し、その運営管理を一元的に検索可能にし、かつ独立管理できるシステムとして登録商品の管理を９０〜１００桁程度の属性品番を考案採用することで、あらゆる商取引が同じシステム上で運用可能になり、インターネットショッピングとオークションの出店・出品・購入を同じ市場として認識でき商品展開できることになります。
３つめは、個人売買の市場はオークション市場であり、当該オンデマンドカウントダウンシステムの採用により、即決落札が始めて実現し、売り手と買い手の価格交渉を自動表示することで、商取引の成約率が飛躍的にアップする手段となり、ショッピングとオークション市場の活性化を全体的に拡大することが実現します。
【背景技術】
【０００２】
インターネット上での個人情報は、各ネット企業で独自に採取管理されているため、その情報流出の危険性を常にネットサーバーに所有することになっています。さらに企業および個人に対して、その正確な出店情報を登録するシステムが不完全のため、ネット商取引において事故・事件への最終的責任トレースが出来ない場合が頻発しています。さらに従来のオークションシステムは、時間の規制により価格上昇を目指す販売で、即決を否定する販売になります。リアルなフリーマーケット的市場をネットオークションとして提供するには、対面販売を実現する即決落札可能オークションシステムが必要です。０４年のオークションシステムは、ネット人口７３００万人に対し、２５０万人の市場で参加シェアは３．４％に過ぎません。本来のフリーマーケットが持つ、参加する喜びを実現する本案件は、ネットオークション市場にとり必要不可欠なシステムになります。
【発明の開示】
【発明が解決しようとする課題】
【０００３】
現在のオークション市場の問題は、悪意の取引が容易に実行できる市場であり、これに無防備です。またネットサービス会社からの個人情報等の流出も頻繁に発生し、抜本的な対策、解決策は、未定のままで今日を迎えている。このセーフティ・オークションシステムは、個人と企業の全出品者の厳格な確認を実現し、出店と販売人の確認と出品安全を確保します。また消費者にたいし、支払金額の一時預かりをシステムに組込み、受取りまで確保しますので、悪意の商取引は極めて発生しにくい市場になります。また即決落札オークションシステムの採用で、セーフティオークションは、新しいショッピングタイプを提供することになり、ネット商取引市場の拡大と活性化を実現し、出品者と消費者にとって、安全なネット市場を提供します。
【課題を解決するための手段】
【０００４】
出品者の確認に対する手段は、出店企業の所在地域を管理するセーフティオークションシステムのＯＥＭ代理店により、直接面談確認し、出店用の個別ＩＤとパスワードで参入できるようになります。確認した個人情報は、代理店個別の独立データベースに登録され、ＷＥＢサーバーへの出店は、個別ＩＤとパスワードで利用できるシステムです。個人出店は、クレジット会社へのセーフティオークションシステムＯＥＭ代理店で対応し、当該会社のクレジットユーザーに出店許可できることにします。ここでの個人情報はクレジット会社内で確認されるもので、ＷＥＢサーバーでは、個別のＩＤとパスワードで参加することになります。
セーフティオークションシステムＯＥＭは、基本的にＷＥＢサーバー、メールサーバー、データベース、ミラーサーバーの構成になり、システムの運用とメンテナンスは、セーフティオークション本体で実務します。ＯＥＭ代理店のネットシステム対応は、物理的な出店者対応となります。また、商品代金一時預かりと、セーフティオークションシステムＯＥＭ代理店を組織的に運用するため、商取引売上の手数料配分を、ＯＥＭ代理店とセーフティオークション運営本体、そして支払い金額一時預かりシステム運営の３つの組織で比例分配いたします。これにより一時預かりにかかるコストは、市場売上手数料に組み込まれます。セーフティオークション事業の実現するシステムは、組織構造と商品管理属性品番、そして、ネットオークションの即決決済システム、一時預かり対応により、きわめて安全で安心、多種多様なネット商取引市場を実現することになります。
【発明の効果】
【０００５】
出店ユーザーの確認ができる市場は、商品受取時の安心感が保証されることになり、購入ユーザーに、安全なネットオークションを提供できることになります。またこのセーフティ・オークションの最大のポイントは、通常のショッピングと同様に、即決購入できるオークションが実現できることにあります。これにより、あらゆるショッピングの展開は、同じデータベースで運用できることになります。
【発明を実施するための最良の形態】
【０００６】
以下、本発明の形態について説明いたします。
図面１のセーフティ・オークションの位置とＯＥＭ代理店により登録確認された出品ユーザーは、図面２の端末を介して、ＷＥＢサーバー、データベース、メールサーバーへ商品登録が出来ます。商品は図面３の属性品番により管理され、複数のＯＥＭ代理店との間に介し、商品検索と管理を実現します。ネット上に展開される商品オークション及び商品販売を購入ユーザーは端末を介してセーフティオークション市場に参加し各種登録商品の購入を致します。通常のショッピング、オークションとは別に、図面４カウントダウンオークションの参加は、カウントダウンオークションの商品ページを端末にダウンロードし、購入検討参加できます。商品の購入決定後にデータベースと接続し決済情報の処理を完了します。
【図面の簡単な説明】
【０００７】
【図１】セーフティ・オークション市場とＯＥＭ代理店、出品ユーザーの位置づけ
【図２】セーフティ・オークション  ネットシステムの概要
【図３】セーフティオークション登録商品の属性品番管理の概要
【図４】セーフティ・オークションシステムのオンデマンドカウントダウンの概要
【図５】オンデマンドカウントダウンショッピングシステムの流れ
【図１】
2007141111.tif 000003
【図２】
2007141111.tif 000004
【図３】
2007141111.tif 000005
【図４】
2007141111.tif 000006
【図５】
2007141111.tif 000007